(57)【要約】原画像からアスペクト比が異なる静止画像及び動画像を撮像モードに適した抽出範囲で抽出できるようにする。選択した撮像モードに応じて、撮像素子１７の撮像範囲内において、静止画像を抽出するアスペクト比が４：３の静止画像抽出範囲と、ＨＤ動画像を抽出するアスペクト比が１６：９の動画像抽出範囲とを設定し、撮像した画像から、設定した静止画像抽出範囲の画像を静止画像として抽出し、さらに、設定した動画像抽出範囲の画像をＨＤ動画像として抽出するようにしたことにより、アスペクト比が異なる静止画像の抽出範囲とＨＤ動画像の抽出範囲を、撮像モードに応じて変えることができ、かくして、撮像範囲の画像（すなわち原画像）からアスペクト比が異なる静止画像及びＨＤ動画像を撮像モードに適した抽出範囲で抽出することができる。
2009028703.tif 000002
【特許請求の範囲】
【請求項１】
被写体を撮像して撮像範囲の画像を出力する撮像部と、
撮像モード毎に、上記撮像範囲内であり第１のアスペクト比を有する静止画像抽出範囲と、上記撮像範囲内であり上記第１のアスペクト比と異なる第２のアスペクト比を有する動画像抽出範囲とを設定する抽出範囲設定部と、
上記撮像範囲の画像から、上記抽出範囲設定部により設定された上記静止画像抽出範囲の画像を静止画像として抽出し、上記撮像範囲の画像から、上記抽出範囲設定部により設定された上記動画像抽出範囲の画像を動画像として抽出する画像処理部と
を具える撮像装置。
【請求項２】
上記撮像範囲は、
上記第１のアスペクト比を有し、
上記第２のアスペクト比は、
上記第１のアスペクトより横長である
請求項１に記載の撮像装置。
【請求項３】
上記抽出範囲設定部は、
上記撮像モードが人物撮像モードである場合に、上記動画像抽出範囲が上記第２のアスペクト比となるように、上記撮像範囲の上下両端をクロップした範囲に上記動画像抽出範囲を設定するとともに、上記静止画像抽出範囲が上記第１のアスペクト比となるように、上記静止画像抽出範囲の上下方向の両端を上記動画像抽出範囲と一致するよう上記撮像範囲の上下両端をクロップした範囲に設定するとともに上記撮像範囲の左右両端をクロップした範囲に設定する
請求項２に記載の撮像装置。
【請求項４】
上記抽出範囲設定部は、
上記人物モード以外の撮像モードである場合に、上記静止画像抽出範囲を上記撮像範囲に設定するとともに、上記動画像抽出範囲が上記第２のアスペクト比となるように上記動画像抽出範囲を上記撮像範囲の上端及び下端をクロップした範囲に設定する
請求項３に記載の撮像装置。
【請求項５】
上記撮像部の撮像範囲の画角を制御する画角制御部をさらに具え、
上記画角制御部は、
上記人物撮像モードの場合に、当該人物撮像モードでの上記静止画像抽出範囲の画角が、上記人物モード以外の撮像モードでの上記静止画像抽出範囲の画角と一致するように、上記撮像部の撮像範囲の画角を制御する
請求項４に記載の撮像装置。
【請求項６】
上記画像に基づいて、上記被写体が人物であるか否かを判別する被写体判別部と、  上記被写体判別部により上記被写体が人物であると判別されると、上記人物撮像モードを選択する撮像モード選択部とをさらに具える
請求項３に記載の撮像装置。
【請求項７】
上記画像処理部により抽出された上記静止画像及び上記動画像を表示部に表示させる表示処理部をさらに具え、
上記表示処理部は、
上記静止画像抽出範囲と上記動画像抽出範囲の大きさの比率に応じた大きさで、上記静止画像及び上記動画像をそれぞれ上記表示部に表示させる
請求項１に記載の撮像装置。
【請求項８】
撮像モード毎に、撮像画像から出力される画像の撮像範囲内であり第１のアスペクト比を有する静止画像抽出範囲と、上記撮像範囲内であり上記第１のアスペクト比と異なる第２のアスペクト比を有する動画像抽出範囲とを設定し、
上記撮像範囲の画像から、上記抽出範囲設定部により設定された上記静止画像抽出範囲の画像を静止画像として抽出し、
上記撮像範囲の画像から、上記抽出範囲設定部により設定された上記動画像抽出範囲の画像を動画像として抽出する
撮像方法。
【発明の詳細な説明】
【技術分野】
【０００１】
本発明は、撮像装置及び撮像方法に関し、例えば、静止画像及び動画像を撮像可能なデジタルスチルカメラに適用して好適なものである。
【背景技術】
【０００２】
昨今、静止画像にくわえて動画像も撮像できる撮像装置（例えばデジタルスチルカメラ）や動画像にくわえて静止画像も撮像できる撮像装置（例えばデジタルビデオカメラ）が広く普及しつつある。ところで、デジタルスチルカメラにより撮像される静止画像は、写真（例えば銀縁写真）文化の影響を強く受けている。ゆえに、この静止画像は、銀縁写真と同じ４：３もしくは３：２などのアスペクト比（横の長さと縦の長さとの比）でなるものが多かった。またこの静止画像を印刷する場合も、４：３または３：２などのアスペクト比が用いられることが多かった。
一方、デジタルスチルカメラにより撮像される動画像は、テレビジョン放送の影響を強く受けている。ゆえに、この動画像は、従来、地上アナログ放送による番組映像と同じ４：３のアスペクト比でなるものが多かった。また、地上デジタル放送による高解像度の番組映像を表示可能なテレビジョンモニタの普及により、近年では、この番組映像と同じ１６：９のアスペクト比でなる動画像を撮像可能なデジタルスチルカメラも開発されている。
さらに、４：３のアスペクト比でなる静止画像と１６：９のアスペクト比でなる動画像のように、アスペクト比が異なる静止画像と動画像を時分割で撮像可能なデジタルスチルカメラも提案されている（例えば特許文献１参照）。
【特許文献１】特開２００６−１４８２７３公報。
【０００３】
ところで、従来のデジタルスチルカメラでは、アスペクト比が異なる静止画像と動画像を時分割で撮像する場合、ＣＣＤ（Ｃｈａｒｇｅ  Ｃｏｕｐｌｅｄ  Ｄｅｖｉｃｅ）などを有する撮像部で被写体を撮像した結果得られる画像（これを原画像とも呼ぶ）から、所望のアスペクト比でなる静止画像と動画像を生成して記録メディアに記録するようになされている。
例えば、原画像のアスペクト比が４：３であり、これに合わせて静止画像のアスペクト比が４：３に決められ、さらに動画像のアスペクト比が１６：９に決められているとする。この場合、上述したデジタルスチルカメラは、例えば、原画像をそのまま４：３のアスペクト比でなる静止画像として記録すると共に、この原画像の上下両端を切り捨てる（すなわちトリミングする）ことにより１６：９のアスペクト比でなる動画像を原画像から抽出して記録するようになされている。因みに、動画像は時間的に連続する複数の画像で構成される。
ところが、このように原画像の上下両端をトリミングして動画像を抽出した場合、動画像を抽出する抽出範囲が原画像の撮像範囲と比して上下方向に狭くなる。この結果、図１に示すように、デジタルスチルカメラの表示部に表示される撮像範囲Ｒ１に人物を一杯に捉えて撮像したとしても、原画像の上端部に位置する人物の頭部などが動画像の抽出範囲Ｒ２から外れて切れてしまう。
この結果、ユーザが意図していたものとは明らかに異なる動画像（つまり被写体の重要な部分が切れた動画像）が生成されることになる。因みに、ここで言う被写体とは、ユーザが撮像装置で撮像したい部分（例えば、人物の上半身、風景の一部など）を示す。
このように、従来のデジタルスチルカメラでは、アスペクト比が異なる静止画像と動画像を記録できるものの、静止画像の抽出範囲と動画像の抽出範囲が固定であるため、アスペクト比を変えるときのトリミングにより、被写体の重要な部分が切れた静止画像もしくは動画像を記録してしまう恐れがあった。
【発明の開示】
【０００４】
本発明は以上の点を考慮してなされたもので、原画像からアスペクト比が異なる静止画像及び動画像を撮像モードに適した抽出範囲で抽出し得る撮像装置及び撮像方法を提案しようとするものである。
かかる課題を解決するため本発明においては、被写体を撮像して撮像範囲の画像を出力する撮像部と、撮像モード毎に、撮像範囲内であり第１のアスペクト比を有する静止画像抽出範囲と、撮像範囲内であり第１のアスペクト比と異なる第２のアスペクト比を有する動画像抽出範囲とを設定する抽出範囲設定部と、撮像範囲の画像から、抽出範囲設定部により設定された静止画像抽出範囲の画像を静止画像として抽出し、撮像範囲の画像から、抽出範囲設定部により設定された動画像抽出範囲の画像を動画像として抽出する画像処理部とを設けるようにした。
こうすることで、アスペクト比が異なる静止画像の抽出範囲と動画像の抽出範囲を、撮像モードに応じて変えることができる。
本発明によれば、被写体を撮像して撮像範囲の画像を出力する撮像部と、撮像モード毎に、撮像範囲内であり第１のアスペクト比を有する静止画像抽出範囲と、撮像範囲内であり第１のアスペクト比と異なる第２のアスペクト比を有する動画像抽出範囲とを設定する抽出範囲設定部と、撮像範囲の画像から、抽出範囲設定部により設定された静止画像抽出範囲の画像を静止画像として抽出し、撮像範囲の画像から、抽出範囲設定部により設定された動画像抽出範囲の画像を動画像として抽出する画像処理部とを設けることにより、アスペクト比が異なる静止画像の抽出範囲と動画像の抽出範囲を、撮像モードに応じて変えることができ、かくして、原画像からアスペクト比が異なる静止画像及び動画像を撮像モードに適した抽出範囲で抽出し得る撮像装置及び撮像方法を実現できる。
【図面の簡単な説明】
【０００５】
図１は、アスペクト比４：３の撮像画像の上端及び下端をトリミングして生成したアスペクト比１６：９の動画像を示す略線図である。
図２は、第１の実施の形態によるデジタルスチルカメラの外観構成の（Ａ）前面、（Ｂ）背面及び（Ｃ）側面を示す略線図である。
図３は、第１の実施の形態によるデジタルスチルカメラの内部構成を示すブロック図である。
図４は、（Ａ）静止画像撮像及び（Ｂ）動画像撮像の流れを示す略線図である。
図５は、（Ａ）第１、（Ｂ）第２及び（Ｃ）第３の撮像モードでの静止画像抽出範囲及び動画像抽出範囲を示す略線図である。
図６は、（Ａ）第１及び（Ｂ）第２の撮像モードでの静止画像及びＨＤ動画像の撮像の説明に供する略線図である。
図７は、第１及び第２の撮像モードでの画角制御の説明に供する（Ａ）第１の撮像モード、（Ｂ）第２の撮像モードでシャッタボタンが押下された場合、（Ｃ）自動でズームアウトすることにより第１の撮像モードと静止画像抽出範囲の画角を一致させた場合及び（Ｄ）ズームアウトしない場合の略線図である。
図８は、第３の撮像モードで表示されるモニタ画像を示す略線図である。
図９は、第１の実施の形態による撮像処理手順を示すフローチャートである。
図１０は、静止画像及びＨＤ動画像の再生の説明に供する略線図である。
図１１は、再生処理手順を示すフローチャートである。
図１２は、第２の実施の形態による撮像処理手順を示すフローチャートである。
図１３は、第２の実施の形態による（Ａ）第１及び（Ｂ）第２の撮像モードでのモニタ画像の表示例を示す略線図である。
【符号の説明】
【０００６】
１……デジタルスチルカメラ、３……カメラレンズ部、４……マイクロフォン、５……シャッタボタン、６……表示部、１１……ＣＰＵ、１５……操作部、１６……カメラブロック、１７……撮像素子、２２……画像拡大・縮小・トリミングブロック、２５……画像圧縮・伸長ブロック、２７……記録メディア、２８……ＨＤ動画像コーデック・記録・再生ブロック、Ｍｐ……モニタ画像、Ｒ１０、Ｒ２１、Ｒ３０……静止画像撮像範囲、Ｒ１１……撮像範囲、Ｒ１２、Ｒ２０、Ｒ３１……動画像撮像範囲
【発明を実施するための最良の形態】
【０００７】
以下、図面について、本発明の一実施の形態を詳述する。
（１）第１の実施の形態
（１−１）デジタルスチルカメラの外観構成
図２（Ａ）、（Ｂ）及び（Ｃ）において１は、全体としてＨＤ（Ｈｉｇｈ  Ｄｅｆｉｎｉｔｉｏｎ：高精細）動画像の撮像機能を持つデジタルスチルカメラの外観構成を示す。このデジタルスチルカメラ１は、扁平矩形状でなる本体部２を有し、その前面２Ａに被写体を撮像するための撮像レンズや絞りなどからなるカメラレンズ部３が設けられている。さらにこの前面２Ａには、音声を収録するためのマイクロフォン４も設けられている。
本体部２の上面２Ｂには、シャッタボタン５が設けられている。デジタルスチルカメラ１は、このシャッタボタン５の押下操作に応じて、静止画像やＨＤ動画像を撮像するようになされている。
本体部２の背面２Ｃには、背面２Ｃとほぼ同サイズでアスペクト比が１６：９の表示部６が設けられている。この表示部６には、例えば、撮像時には被写体が表示され、また再生時には撮像した静止画像やＨＤ動画像が表示されるようになされている。さらにこの背面２Ｃには、表示部６の脇に、複数の操作ボタン７が設けられている。デジタルスチルカメラ１は、この操作ボタン７の押下操作に応じて、静止画像及びＨＤ動画像の撮像に関する各種設定を行うようになされている。
本体部２の一側面２Ｄには、静止画像のデータ（これを静止画像データとも呼ぶ）及びＨＤ動画像のデータ（これをＨＤ動画像データとも呼ぶ）を記録可能な記録メディアを挿入するメモリスロット８が設けられている。さらにこの一側面２Ｄには、メモリスロット８の近傍に、ケーブル（図示せず）を介して外部機器と接続するためのインタフェース端子（Ｉ／Ｆ端子）９が設けられている。デジタルスチルカメラ１は、このインタフェース端子９を介して接続されたテレビモニタに静止画像やＨＤ動画像を出力したり、このインタフェース端子９を介して接続されたパーソナルコンピュータとの間で各種データを送受したりするようになされている。
（１−２）デジタルスチルカメラの内部構成
次に、デジタルスチルカメラ１の内部構成について、図３を用いて説明する。デジタルスチルカメラ１は、電源ブロック１０から供給されるエネルギ（電力）により各部を動作させる。またこのデジタルスチルカメラ１では、ＣＰＵ（Ｃｅｎｔｒａｌ  Ｐｒｏｃｅｓｓｉｎｇ  Ｕｎｉｔ）１１がバス１２を介して接続されたＲＯＭ（Ｒｅａｄ  Ｏｎｌｙ  Ｍｅｍｏｒｙ）１３から読み出したプログラムをＲＡＭ（Ｒａｎｄｏｍ  Ａｃｃｅｓｓ  Ｍｅｍｏｒｙ）１４に展開して実行することで、各部を統括的に制御するようになされている。
具体的に言うと、ＣＰＵ１１は、例えば、シャッタボタン５及び操作ボタン７からなる操作部１５を介して静止画像を撮像する撮像モードまたはＨＤ動画像を撮像する撮像モードもしくは静止画像及びＨＤ動画像の両方を撮像する撮像モードへ切り換える操作が行われたことを認識すると、この操作に応じた制御信号を、バス１２を介してカメラブロック１６に送る。
カメラブロック１６は、ズーム機能を有するカメラレンズ部３と、撮像素子１７と、信号処理部１８と、アナログデジタル変換器１９と、カメラコントローラ２０とで構成される。カメラコントローラ２０は、ＣＰＵ１１から送られてくる制御信号に基づいて、カメラブロック１６の各部を制御するようになされている。また撮像素子１７は、例えば、有効面の画素数（これを有効画素数とも呼ぶ）が横４０００×縦３０００でなるＣＣＤまたはＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）、つまりアスペクト比が４：３のＣＣＤまたはＣＭＯＳで構成される。因みに、この有効面の範囲が撮像素子１７の撮像範囲となる。
カメラコントローラ２０は、ＣＰＵ１１からの制御信号に基づき、カメラレンズ部３で取り込んだ撮像光を撮像素子１７により光電変換する。そしてカメラコントローラ２０は、光電変換の結果として得られた画像信号に対して信号処理部１８で所定の信号処理を施した後、この画像信号をアナログデジタル変換器１９でアナログデジタル変換して出力する。
ＣＰＵ１１は、カメラブロック１６から出力されたデジタルの画像信号を、バス１２経由でバッファメモリ２１に送り、このバッファメモリ２１に画像データとして記憶する。このときバッファメモリ２１に記憶される画像データは、撮像素子１７の有効画素数（つまり横４０００×縦３０００）の画像サイズでなる。因みに、画像サイズとは、画像データを構成する画素数を、縦の画素数×横の画素数で表したものである。
ＣＰＵ１１は、バッファメモリ２１に記憶された画像データを読み出して、バス１２を経由して画像拡大・縮小・トリミングブロック２２に入力する。画像拡大・縮小・トリミングブロック２２は、ＣＰＵ１１の制御のもと、入力された横４０００×縦３０００の画像データをそのままもしくはトリミングした後、表示部６の解像度に合わせた画像サイズに縮小して出力する。この場合の縮小とは、アスペクト比は変えずに画素を間引いて画像データの画像サイズを小さくすることである。
画像拡大・縮小・トリミングブロック２２から出力された画像データは、ＣＰＵ１１の制御のもと、バス１２を経由してデジタルアナログ変換器２３に入力される。デジタルアナログ変換器２３は、入力された画像データをデジタルアナログ変換することによりアナログの画像信号を得、これを出力する。この画像信号は、表示コントローラ２４に送られる。表示コントローラ２４は、この画像信号に基づく画像、つまり被写体の画像を表示部６に表示する。尚、このようにして表示部６に表示される画像をモニタ画像とも呼ぶ。
このようにデジタルスチルカメラ１は、撮像素子１７で撮像した被写体のモニタ画像を表示部６に表示することで記録する被写体をユーザに確認させることができるようになされている。
そしてＣＰＵ１１は、静止画像を撮像する撮像モード時に、操作部１５の例えばシャッタボタン５を押下する操作（これを静止画像撮像操作とも呼ぶ）が行われたことを認識すると、図３にくわえて図４（Ａ）に示すように、このときカメラブロック１６から出力されるデジタルの画像信号を、バス１２経由でバッファメモリ２１に送り、このバッファメモリ２１に画像データとして記憶する。つまり、このときバッファメモリ２１に記憶される画像データは、撮像素子１７の有効画素数である横４０００×縦３０００の画像サイズでなる。
ＣＰＵ１１は、このようにしてバッファメモリ２１に記憶された画像データを読み出して、バス１２を経由して画像拡大・縮小・トリミングブロック２２に入力する。画像拡大・縮小・トリミングブロック２２は、ＣＰＵ１１の制御のもと、入力された横４０００×縦３０００の画像データをそのままもしくはトリミングすることによりこの画像データから静止画像に設定された抽出範囲（アスペクト比４：３もしくは１６：９の抽出範囲であり、静止画像抽出範囲とも呼ぶ）の画像データを抽出し、さらにこの画像データをユーザが選択した画像サイズ（アスペクト比は同一）に縮小して出力する。尚、この静止画像抽出範囲とは、撮像素子１７の撮像範囲内であり静止画像を抽出する範囲のことである。また撮像素子１７の撮像範囲の画像から静止画像抽出範囲の画像を静止画像として抽出することを静止画像を撮像するとも呼ぶ。このようにして画像拡大・縮小・トリミングブロック２２から出力された画像データは、ＣＰＵ１１の制御のもと、バス１２を経由してバッファメモリ２１に送られ記憶された後、このバッファメモリ２１から読み出されて画像圧縮・伸長ブロック２５に入力される。画像圧縮・伸長ブロック２５は、ＣＰＵ１１の制御のもと、入力された画像データを所定の静止画像圧縮符号化方式で圧縮符号化することにより圧縮画像データを得、これを出力する。ＣＰＵ１１は、画像圧縮・伸長ブロック２５から出力され圧縮画像データを、バス１２経由でバッファメモリ２１に送り、このバッファメモリ２１に記憶する。
ＣＰＵ１１は、このようにしてバッファメモリ２１に記憶された圧縮画像データを随時読み出して、バス１２及びメモリインタフェース（メモリＩ／Ｆ）２６を経由して記録メディア２７に静止画像データとして記録する。このようにしてデジタルスチルカメラ１は、静止画像を撮像して記録メディア２７に記録するようになされている。
さらにＣＰＵ１１は、ＨＤ動画像を撮像する撮像モード時に、操作部１５の例えばシャッタボタン５を押下する操作（これを動画像撮像開始操作とも呼ぶ）が行われたことを認識すると、図３にくわえて図４（Ｂ）に示すように、カメラブロック１６から出力されるデジタルの画像信号を、バス１２経由でバッファメモリ２１に送り、画像データとして記憶する。このときバッファメモリ２１に記憶される画像データは、撮像素子１７の有効画素数である横４０００×縦３０００の画像サイズでなる。
ＣＰＵ１１は、このようにしてバッファメモリ２１に記憶された画像データを読み出して、バス１２を経由して画像拡大・縮小・トリミングブロック２２に入力する。画像拡大・縮小・トリミングブロック２２は、ＣＰＵ１１の制御のもと、入力された横４０００×縦３０００の画像データをトリミングすることによりこの画像データからＨＤ動画像に設定された抽出範囲（アスペクト比１６：９の抽出範囲であり、動画像抽出範囲とも呼ぶ）の画像データを抽出し、さらにこの画像データをユーザが選択した画像サイズ（アスペクト比は同一）に縮小して出力する。尚、この動画像抽出範囲とは、撮像素子１７の撮像範囲内でありＨＤ動画像を抽出する範囲のことである。また撮像素子１７の撮像範囲の画像から動画像抽出範囲の画像をＨＤ動画像として抽出することをＨＤ動画像を撮像するとも呼ぶ。
このようにして画像拡大・縮小・トリミングブロック２２から出力された画像データは、ＣＰＵ１１の制御のもと、バス１２を経由してバッファメモリ２１に送られ記憶された後、このバッファメモリ２１から読み出されてＨＤ動画像コーデック・記録・再生ブロック２８に入力される。ＨＤ動画像コーデック・記録・再生ブロック２８は、ＣＰＵ１１の制御のもと、入力された画像データを所定の動画像圧縮符号化方式で圧縮符号化することにより圧縮画像データを得、これを出力する。ＣＰＵ１１は、ＨＤ動画像コーデック・記録・再生ブロック２８から出力された圧縮画像データを、バス１２経由でバッファメモリ２１に送り、このバッファメモリ２１に記憶する。
またこのときデジタルスチルカメラ１は、マイクロフォン４により周辺の音声を集音して音声信号に変換する。この音声信号は、アナログデジタル変換器２９でアナログデジタル変換された後、音声圧縮・伸長ブロック３０に入力される。音声圧縮・伸長ブロック３０は、ＣＰＵ１１の制御のもと、入力されたデジタルの音声信号を所定の音声圧縮符号化方式で圧縮することにより圧縮音声データを得、これを出力する。ＣＰＵ１１は、音声圧縮・伸長ブロック３０から出力された圧縮音声データを、バス１２経由でバッファメモリ２１に送り、このバッファメモリ２１に記憶する。
そしてＣＰＵ１１は、バッファメモリ２１に記憶された圧縮画像データと圧縮音声データとを随時読み出して、圧縮画像データと圧縮音声データとを時分割多重化することにより動画像ストリームを生成し、この動画像ストリームを、バス１２及びメモリインタフェース２６を経由して記録メディア２７にＨＤ動画像データとして記録する。
このような処理を、ＣＰＵ１１は、操作部１５の例えばシャッタボタン５を再度押下する操作（これを動画像撮像終了操作とも呼ぶ）が行われるまで、もしくは設定された時間経過するまで継続する。このようにしてデジタルスチルカメラ１は、ＨＤ動画像を撮像して記録メディア２７に記録するようになされている。
さらにこのデジタルスチルカメラ１では、静止画像及びＨＤ動画像を別々に撮像して記録することができるばかりでなく、シャッタボタン５に対する１回の押下操作で、静止画像及びＨＤ動画像を１度に自動で撮像して記録することができるようにもなされている。この場合、静止画像を撮像して記録する処理とＨＤ動画像を撮像して記録する処理とを連続して行う。すなわち、ＣＰＵ１１は、静止画像及びＨＤ動画像の両方を撮像する撮像モード時に、シャッタボタン５を押下する操作（これを両画像撮像開始操作とも呼ぶ）が行われたことを認識すると、まず、上述のようにして静止画像を撮像した後、直ちに自動でＨＤ動画像を撮像するようになされている。
このようにして連続撮像された静止画像の静止画像データとＨＤ動画像のＨＤ動画像データは、ファイル名や記録メディア２７に構築されたデータベースなどにより関連付けられて記録メディア２７に記録されるようになされている。
さらにこのデジタルスチルカメラ１のＣＰＵ１１は、操作部１５を介して、記録した静止画像またはＨＤ動画像もしくは両方を再生する再生モードへ切り換える操作が行われたことを認識すると、この操作に応じた制御信号を、バス１２を介してカメラブロック１６に送る。カメラブロック１６では、カメラコントローラ２０の制御のもと、ＣＰＵ１１からの制御信号に基づき、動作を一時停止する。
さらにＣＰＵ１１は、この再生モード時に、操作部１５を介して指定の静止画像を再生する操作（静止画像再生操作とも呼ぶ）が行われたことを認識すると、バス１２及びメモリインタフェース２６を介して記録メディア２７から指定の静止画像データを読み出し、この静止画像データをバス１２を経由して画像圧縮・伸長ブロック２５に入力する。
画像圧縮・伸長ブロック２５は、ＣＰＵ１１の制御のもと、入力された静止画像データを復号することにより元の画像データを得、これを出力する。このようにして画像圧縮・伸長ブロック２５から出力された画像データは、ＣＰＵ１１の制御のもと、バス１２を経由して画像拡大・縮小・トリミングブロック２２に入力される。画像拡大・縮小・トリミングブロック２２は、ＣＰＵ１１の制御のもと、入力された画像データを表示部６に表示可能な画像サイズに縮小して出力する。
画像拡大・縮小・トリミングブロック２２から出力された画像データは、ＣＰＵ１１の制御のもと、バス１２を経由してデジタルアナログ変換器２３に入力される。デジタルアナログ変換器２３は、入力された画像データをデジタルアナログ変換することによりアナログの画像信号を得、これを出力する。この画像信号は、表示コントローラ２４に送られる。表示コントローラ２４は、この画像信号に基づく静止画像を表示部６に表示する。
また、ここでインタフェース端子９を介してテレビモニタが接続されている場合、ＣＰＵ１１は、例えば、画像圧縮・伸長ブロック２５から出力された画像データを、バス１２、外部インタフェース３１及びインタフェース端子９を介してテレビモニタに送出する。この結果、テレビモニタにこの画像データに基づく静止画像が表示される。このようにしてデジタルスチルカメラ１は、静止画像を再生するようになされている。
さらにＣＰＵ１１は、この再生モード時に、操作部１５を介して指定のＨＤ動画像を再生する操作（これを動画像再生操作とも呼ぶ）が行われたことを認識すると、この操作に応じて、バス１２及びメモリインタフェース２６を介して記録メディア２７から指定のＨＤ動画像データを読み出す。そしてＣＰＵ１１は、読み出したＨＤ動画像データを圧縮画像データと圧縮音声データとに分離し、圧縮画像データをバス１２を経由してＨＤ動画像コーデック・記録・再生ブロック２８に入力する一方、圧縮音声データをバス１２を経由して音声圧縮・伸長ブロック３０に入力する。
ＨＤ動画像コーデック・記録・再生ブロック２８は、ＣＰＵ１１の制御のもと、入力された圧縮画像データを復号することにより元の画像データを得、これを出力する。このようにしてＨＤ動画像コーデック・記録・再生ブロック２８から出力された画像データは、ＣＰＵ１１の制御のもと、バス１２を経由して画像拡大・縮小・トリミングブロック２２に入力される。画像拡大・縮小・トリミングブロック２２は、ＣＰＵ１１の制御のもと、入力された画像データを表示部６に表示可能な画像サイズに縮小して出力する。
画像拡大・縮小・トリミングブロック２２から出力された画像データは、ＣＰＵ１１の制御のもと、バス１２を経由してデジタルアナログ変換器２３に入力される。デジタルアナログ変換器２３は、入力された画像データをデジタルアナログ変換することによりアナログの画像信号を得、これを出力する。この画像信号は、表示コントローラ２４に送られる。表示コントローラ２４は、この画像信号に基づくＨＤ動画像を表示部６に表示する。
またこのとき音声圧縮・伸長ブロック３０は、ＣＰＵ１１の制御のもと、入力された圧縮音声データを復号することにより元の音声データを得、これを出力する。このようにして音声圧縮・伸長ブロック３０から出力された音声データは、デジタルアナログ変換器３２に入力される。
デジタルアナログ変換器３２は、入力された音声データをデジタルアナログ変換することによりアナログの音声信号を得、これを出力する。この音声信号は、スピーカ３３に送られ、この音声信号に基づく音声がスピーカ３３から出力される。
また、ここでインタフェース端子９を介してテレビモニタが接続されている場合、ＣＰＵ１１は、例えば、ＨＤ動画像コーデック・記録・再生ブロック２８から出力された画像データと、音声圧縮・伸長ブロック３０から出力された音声データとを、バス１２、外部インタフェース３１及びインタフェース端子９を介してテレビモニタに送出する。この結果、テレビモニタにこの画像データに基づくＨＤ動画像が表示されると共に、テレビモニタのスピーカからこの音声データに基づく音声が出力される。このようにしてデジタルスチルカメラ１は、ＨＤ動画像とそれに付随する音声とを再生するようになされている。
さらにこのデジタルスチルカメラ１では、静止画像とＨＤ動画像がファイル名や記録メディア２７に構築されたデータベースなどにより関連付けられている場合、静止画像再生操作に応じて静止画像を再生した後、つづけてこの静止画像に関連付けられたＨＤ動画像を自動で再生することができるようにもなされている。
さらにＣＰＵ１１は、顔認識機能も有している。例えば、ＣＰＵ１１は、所定の顔認識アルゴリズムを利用して、カメラブロック１６から出力されるデジタルの画像信号を解析し、この画像信号に基づく画像に、人物の顔が含まれているかどうかを判別するようになされている。具体的に言うと、ＣＰＵ１１は、例えば、人物の顔の形状、目、鼻などの特徴点に基づいて画像に人物の顔が含まれているかどうかを判別するようになされている。
くわえて、このデジタルスチルカメラ１には、静止画像及びＨＤ動画像の両方を撮像する撮像モードとして、静止画像抽出範囲及び動画像抽出範囲の設定が異なる複数の撮像モードを有している。例えば、このデジタルスチルカメラ１は、第１の撮像モード、第２の撮像モード及び第３の撮像モードを有しており、以下、それぞれの撮像モードについて順に詳しく説明する。
（１−３）撮像モード
（１−３−１）第１の撮像モード
第１の撮像モードは、静止画像のアスペクト比が４：３、ＨＤ動画像のアスペクト比が１６：９で、風景の撮像に適した撮像モードである。この場合、図５（Ａ）に示すように、静止画像抽出範囲Ｒ１０は、撮像素子１７のアスペクト比４：３の撮像範囲Ｒ１１と同じ範囲に設定される。また動画像抽出範囲Ｒ１２は、撮像範囲Ｒ１１（静止画像抽出範囲Ｒ１０）と横方向の長辺を平行にしてみた場合に横方向の長さが同じで、この撮像範囲Ｒ１１の上端及び下端をアスペクト比が１６：９となるようトリミングした範囲に設定される。言い換えれば、アスペクト比が４：３の撮像範囲Ｒ１１からアスペクト比が１６：９の動画像抽出範囲Ｒ１２を切り出す（クロップする）。  つまり、この第１の撮像モードでは、静止画像抽出範囲Ｒ１０が撮像素子１７の撮像範囲Ｒ１１と同じ範囲（アスペクト比４：３）に設定され、動画像抽出範囲Ｒ１２が撮像素子１７の撮像範囲Ｒ１１（静止画像抽出範囲Ｒ１０）の上端及び下端をトリミングした範囲（アスペクト比１６：９）に設定される。
例えば、この第１の撮像モードで静止画像を撮像する場合、デジタルスチルカメラ１のＣＰＵ１１は、図６（Ａ）に示すように、撮像素子１７の撮像範囲Ｒ１１の全てを静止画抽出範囲Ｒ１０として利用するので、高精細なアスペクト比４：３の静止画像を撮像することができる。またこの第１の撮像モードでＨＤ動画像を撮像する場合、この第１の撮像モードは、風景のように重要な部分が撮像範囲Ｒ１１の中央に位置するような被写体の撮像を想定しているので、撮像範囲Ｒ１１（つまり静止画像抽出範囲Ｒ１０）の上端及び下端をトリミングした動画像抽出範囲Ｒ１２でＨＤ動画像を抽出しても、被写体の重要な部分が切れることなくアスペクト比１６：９のＨＤ動画像を撮像することができる。
（１−３−２）第２の撮像モード
第２の撮像モードは、静止画像のアスペクト比が４：３、ＨＤ動画像のアスペクト比が１６：９で、人物の撮像に適した撮像モードである。この場合、図５（Ｂ）に示すように、動画像抽出範囲Ｒ２０は、撮像素子１７の撮像範囲Ｒ１１と横方向の長辺を平行にしてみた場合に横方向の長さが同じで、この撮像範囲Ｒ１１の上端及び下端をアスペクト比が１６：９となるようトリミングした範囲に設定される。また静止画像抽出範囲Ｒ２１は、動画像抽出範囲Ｒ２０と縦方向の短辺を平行にしてみた場合に縦方向の長さが同じで、この動画像抽出範囲Ｒ２０の左端及び右端をアスペクト比が４：３となるようトリミングした範囲に設定される。言い換えれば、アスペクト比が４：３の撮像範囲Ｒ１１からアスペクト比が４：３の静止画像抽出範囲Ｒ２１と、アスペクト比が１６：９の動画像抽出範囲Ｒ２０とをクロップする。
つまり、この第２の撮像モードでは、静止画像抽出範囲Ｒ２１が撮像素子１７の撮像範囲Ｒ１１の上端及び下端、左端及び右端をトリミングした範囲（アスペクト比４：３）に設定され、動画像抽出範囲Ｒ２０が静止画像抽出範囲Ｒ２１の左端及び右端を広げた範囲（アスペクト比１６：９）に設定される。
この第２の撮像モードで静止画像及びＨＤ動画像を撮像する場合、デジタルスチルカメラ１は、シャッタボタン５が押下されると、例えば、図６（Ｂ）に示すように、まず撮像範囲Ｒ１１の上端及び下端のトリミングされる部分に被写体の重要な部分が入らないよう焦点距離を短くして撮像範囲Ｒ１１の画角が広角となるようカメラブロック１６のズーム機構を制御する。
すなわち、デジタルスチルカメラ１は、静止画像抽出範囲Ｒ２１の画角がシャッタボタン５が押下されたときの撮像範囲Ｒ１１の画角（つまり表示部６に表示されるモニタ画像の画角）と一致するようにカメラブロック１６でズームアウトさせる。
因みに、画角とは、写り込む被写体の範囲を角度で表したものである。つまり、撮像範囲Ｒ１１の画角を広角にすると言うことは、この撮像範囲Ｒ１１に映り込む被写体の範囲を広くすることを意味する。
このとき、デジタルスチルカメラ１は、撮像範囲Ｒ１１と静止画像抽出範囲Ｒ２１の画角比が１６／９であるので、９／１６倍だけ広角となるようにズーム機構を制御する。尚、この場合のズーム機構のレンズ制御量は、カメラレンズ部３と撮像素子１７との位置関係などの光学機構に依存するため、光学機構に応じてカメラレンズ部３の繰り出し量を制御する計算式を求めてズーム量に換算するようになされている。
そのうえで、デジタルスチルカメラ１は、静止画像抽出範囲Ｒ２１で静止画像を抽出し、動画像抽出範囲Ｒ２０でＨＤ動画像を抽出する。
この第２の撮像モードでは、人物のように重要な部分が撮像範囲Ｒ１１の中央だけでなく上端及び下端にも位置するような被写体の撮像を想定している。そこで、撮像範囲Ｒ１１の上端及び下端のトリミングされる部分に被写体の重要な部分が入らないよう、あらかじめズームアウトすることで広角にしたうえで、撮像範囲Ｒ１１の上端及び下端、左端及び右端をトリミングした静止画像抽出範囲Ｒ２１で静止画像を抽出し、この静止画像抽出範囲Ｒ２１の左端及び右端を広げた動画像抽出範囲Ｒ２０でＨＤ動画像を抽出するようになされている。
こうすることで、この第２の撮像モードでは、撮像範囲Ｒ１１に被写体を一杯に捉えて（つまり表示部６に表示されるモニタ画像に被写体を一杯に捉えて）シャッタボタン５を押下しても、被写体の重要な部分が切れることなくアスペクト比１６：９のＨＤ動画像を撮像することができる。
またこの第２の撮像モードでは、撮像範囲Ｒ１１の画角と静止画像抽出範囲Ｒ２１の画角とが一致するようズームアウトして広角にすることで、静止画像についても被写体の重要な部分が切れることなくアスペクト比４：３で撮像することができる。
さらにこの第２の撮像モードでは、上述したように、撮像範囲Ｒ１１の画角（つまり第１の撮像モードの静止画像抽出範囲Ｒ１０の画角）と静止画像抽出範囲Ｒ２１の画角とが一致するようズームアウトして広角にすることで、第１の撮像モードと同じ画角で静止画像を撮像することができるようにもなされている。
すなわち、図７（Ａ）に示すように、第１の撮像モードの静止画像抽出範囲Ｒ１０は、撮像範囲Ｒ１１と同じである。つまり、第１の撮像モードでは、表示部６に表示されるモニタ画像と同じ画角の静止画像が撮像される。
一方、第２の撮像モードの静止画像抽出範囲Ｒ２１は、図７（Ｂ）に示すように、撮像範囲Ｒ１１の上端及び下端、左端及び右端をトリミングした範囲である。ここで、シャッタボタン５が押下されると、図７（Ｃ）に示すように、デジタルスチルカメラ１は、静止画像抽出範囲Ｒ２１の画角がシャッタボタン５が押下されたときの撮像範囲Ｒ１１の画角（つまり第１の撮像モードの静止画像抽出範囲Ｒ１０の画角）と一致するようにカメラブロック１６でズームアウトさせる。
こうすることで、デジタルスチルカメラ１は、第１の撮像モードと第２の撮像モードとで、同じ画角で静止画像を撮像することができる。尚、仮にズームアウトしなかった場合、図７（Ｄ）に示すように、第２の撮像モードの静止画像抽出範囲Ｒ２１の画角が第１の撮像モードの静止画像抽出範囲Ｒ１０の画角より狭くなり、第１の撮像モードと同じ画角で静止画像を撮像することはできない。
つまり、デジタルスチルカメラ１は、第１の撮像モードと第２の撮像モードとで、撮像する静止画像の画角が異なってしまうことを防止することができ、この結果、ユーザに対して、第１の撮像モードと第２の撮像モードとによる静止画像抽出範囲の違いを意識させることなく、静止画像を撮像することができる。
（１−３−３）第３の撮像モード
第３の撮像モードは、静止画像もＨＤ動画像もアスペクト比が１６：９で、風景などの撮像に適した撮像モードである。この場合、図５（Ｃ）に示すように、静止画像抽出範囲Ｒ３０及び動画像抽出範囲Ｒ３１ともに、撮像範囲Ｒ１１と横方向の長辺を平行にして、この撮像範囲Ｒ１１の上端及び下端をアスペクト比が１６：９となるようトリミングした範囲に設定される。
つまり、この第３の撮像モードでは、静止画像抽出範囲Ｒ３０及び動画像抽出範囲Ｒ３１がともに、第１の撮像モードの動画像抽出範囲Ｒ１２と同じ範囲（アスペクト比１６：９）に設定される。
デジタルスチルカメラ１は、この静止画像のアスペクト比が１６：９に設定されている場合、アスペクト比４：３の表示部６に被写体確認用として、例えば、図８に示すように、撮像範囲Ｒ１１の上端及び下端をトリミングしたアスペクト比１６：９の静止画像抽出範囲Ｒ３０のモニタ画像Ｍｐを表示する。こうすることで、デジタルスチルカメラ１は、この第３の撮像モード時に、撮像範囲Ｒ１１の上端及び下端をトリミングすることを意識させることなく、静止画像抽出範囲Ｒ３０で撮像する被写体をユーザに確認させることができる。さらに静止画像抽出範囲Ｒ３０と動画像抽出範囲Ｒ３１とを同じ範囲に設定しているので、静止画像及びＨＤ動画像ともに被写体の重要な部分が切れることなくアスペクト比１６：９で撮像することができる。
そして、デジタルスチルカメラ１は、このような３つの撮像モードを適宜自動選択することで、静止画像とＨＤ動画像のアスペクト比が異なる場合でも、被写体に適した抽出範囲で静止画像及びＨＤ動画像を抽出することができる。尚、動画像抽出範囲Ｒ１２、Ｒ２０及びＲ３１と、静止画像抽出範囲Ｒ３０とは同じ範囲である。
（１−４）撮像処理手順
次に、上述したデジタルスチルカメラ１が静止画像及びＨＤ動画像を連続撮像するときの処理手順（これを撮像処理手順とも呼ぶ）について、図９に示すフローチャートを用いて説明する。因みに、この撮像処理手順は、デジタルスチルカメラ１のＣＰＵ１１がＲＯＭ１３から読み出したプログラムにしたがって実行する処理である。
デジタルスチルカメラ１のＣＰＵ１１は、撮像モードへの切り替え操作が行われたことを認識すると、撮像処理手順ＲＴ１を開始して、ステップＳＰ１に移る。ステップＳＰ１においてＣＰＵ１１は、シャッタボタン５が押下されるのを待ち受け、押下されたことを認識すると、ステップＳＰ２に移る。
ステップＳＰ２においてＣＰＵ１１は、ユーザにより静止画像のアスペクト比として４：３のアスペクト比が選択されているかどうかを判定する。このステップＳＰ２で肯定結果を得ると、このことは静止画像のアスペクト比が４：３であることを意味し、このときＣＰＵ１１は、ステップＳＰ３に移る。
ステップＳＰ３においてＣＰＵ１１は、顔認識処理を実行して、その結果に基づき、このとき撮像素子１７により撮像されている人物の顔が画像の中心に位置しているかどうかを判定する。このステップＳＰ３で否定結果を得ると、このことは、静止画像のアスペクト比が４：３で且つ人物以外の被写体（例えば風景）が撮像対象であることを意味し、このときＣＰＵ１１は、第１の撮像モードを選択して、ステップＳＰ４に移る。
ステップＳＰ４においてＣＰＵ１１は、静止画像抽出範囲を、図５（Ａ）に示したように、第１の撮像モードの静止画像抽出範囲Ｒ１０に設定して、次のステップＳＰ５に移る。ステップＳＰ５においてＣＰＵ１１は、この静止画像抽出範囲Ｒ１０でアスペクト比４：３の静止画像を抽出して記録し、次のステップＳＰ６に移る。
ステップＳＰ６においてＣＰＵ１１は、動画像抽出範囲を、図５（Ａ）に示したように、第１の撮像モードの動画像抽出範囲Ｒ１２に設定して、次のステップＳＰ７に移る。ステップＳＰ７においてＣＰＵ１１は、この動画像抽出範囲Ｒ１２でアスペクト比１６：９のＨＤ動画像の抽出及び記録を開始して、動画像撮像終了操作が行われると、もしくは設定された時間が経過すると、ＨＤ動画像の抽出及び記録を終了して、この撮像処理手順ＲＴ１を終了する。
これに対して、上述のステップＳＰ３で肯定結果を得た場合、このことは、静止画像のアスペクト比が４：３で且つ人物が撮像対象であることを意味し、このときＣＰＵ１１は、第２の撮像モードを選択して、ステップＳＰ８に移る。
ステップＳＰ８においてＣＰＵ１１は、撮像範囲Ｒ１１の上端及び下端のトリミングされる部分に被写体の重要な部分が入らないよう焦点距離を短くして広角にしたうえで、静止画像抽出範囲を、図５（Ｂ）に示したように、第２の撮像モードの静止画像抽出範囲Ｒ２１に設定して、次のステップＳＰ９に移る。ステップＳＰ９においてＣＰＵ１１は、この静止画像抽出範囲Ｒ２１でアスペクト比４：３の静止画像を抽出して記録し、次のステップＳＰ１０に移る。
ステップＳＰ１０においてＣＰＵ１１は、動画像抽出範囲を、図５（Ｂ）に示したように、第２の撮像モードの動画像抽出範囲Ｒ２０に設定して、次のステップＳＰ１１に移る。ステップＳＰ１１においてＣＰＵ１１は、この動画像抽出範囲Ｒ２０でアスペクト比１６：９のＨＤ動画像の抽出及び記録を開始して、動画像撮像終了操作が行われると、もしくは設定された時間が経過すると、ＨＤ動画像の抽出及び記録を終了して、この撮像処理手順ＲＴ１を終了する。
さらに、上述のステップＳＰ２で否定結果を得た場合、このことは静止画像のアスペクト比として４：３のアスペクト比ではなく１６：９のアスペクト比が選択されていることを意味し、このときＣＰＵ１１は、第３の撮像モードを選択して、ステップＳＰ１２に移る。
ステップＳＰ１２においてＣＰＵ１１は、静止画像抽出範囲を、図５（Ｃ）に示したように、第３の撮像モードの静止画像抽出範囲Ｒ３０に設定して、次のステップＳＰ１３に移る。ステップＳＰ１３においてＣＰＵ１１は、この静止画像抽出範囲Ｒ３０でアスペクト比１６：９の静止画像を抽出して記録し、次のステップＳＰ６に移る。
ステップＳＰ６においてＣＰＵ１１は、動画像抽出範囲を、図５（Ｃ）に示したように、第１の撮像モードの動画像抽出範囲Ｒ１２と同じ動画像抽出範囲Ｒ３１に設定して、次のステップＳＰ７に移る。ステップＳＰ７においてＣＰＵ１１は、この動画像抽出範囲Ｒ３１でアスペクト比１６：９のＨＤ動画像の抽出及び記録を開始して、動画像撮像終了操作が行われると、もしくは設定された時間が経過すると、ＨＤ動画像の抽出及び記録を終了して、この撮像処理手順ＲＴ１を終了する。
このような撮像処理手順ＲＴ１にしたがって、デジタルスチルカメラ１のＣＰＵ１１は、静止画像及びＨＤ動画像を連続撮像するようになされている。
（１−５）関連付けられた静止画像とＨＤ動画像の再生
次に、ファイル名や記録メディア２７に構築されたデータベースなどにより関連付けられた静止画像とＨＤ動画像の再生について詳しく説明する。
第１の撮像モードで撮像され、関連付けられたアスペクト比４：３の静止画像とアスペクト比１６：９のＨＤ動画像を再生する場合、デジタルスチルカメラ１のＣＰＵ１１は、まず、図１０（Ａ）に示すように、アスペクト比１６：９の表示部６にアスペクト比４：３の静止画像をそのままの形で表示する。
その後、デジタルスチルカメラ１のＣＰＵ１１は、ユーザにより動画像再生操作が行われたことを認識すると、もしくは一定時間経過したことを認識すると、静止画像に代えて、この静止画像に関連付けられたアスペクト比１６：９のＨＤ動画像を表示部６に表示する。この場合、第１の撮像モードで撮像したときの静止画像抽出範囲Ｒ１０と動画像抽出範囲Ｒ１２の関係（つまり大きさの比）が維持されるように、横方向の画角を変えずにＨＤ動画像が表示される。
このように、撮像時の静止画像抽出範囲Ｒ１０と動画像抽出範囲Ｒ１２の関係を維持するように、表示する静止画像の大きさとＨＤ動画像の大きさを決めるようにしたことで、静止画像とＨＤ動画像とで急に被写体の大きさが変わったりすることなくスムーズに、静止画像の表示からＨＤ動画像の表示へ移行することができる。
また、この場合、例えば、ユーザ設定に応じて、ＨＤ動画像の表示へ移行した後、ＨＤ動画像を、表示部６の表示面一杯に拡大して表示するようにしてもよい。
さらに、第２の撮像モードで撮像され、関連付けられたアスペクト比４：３の静止画像とアスペクト比１６：９のＨＤ動画像を再生する場合、デジタルスチルカメラ１のＣＰＵ１１は、まず、図１０（Ｂ）に示すように、アスペクト比１６：９の表示部６にアスペクト比４：３の静止画像を表示する。この場合、第１の撮像モードで撮像された静止画像を表示する場合と同様、表示部６には、そのままの形で静止画像が表示される。
その後、デジタルスチルカメラ１のＣＰＵ１１は、ユーザにより動画像再生操作が行われたことを認識すると、もしくは一定時間経過したことを認識すると、静止画像に代えて、この静止画像に関連付けられたアスペクト比１６：９のＨＤ動画像を表示部６に表示する。この場合、第２の撮像モードで撮像したときの静止画像抽出範囲Ｒ２１と動画像抽出範囲Ｒ２０の関係（つまり大きさの比）が維持されるように、縦方向の画角を変えずにＨＤ動画像が表示部６一杯に表示される。
この場合も、撮像時の静止画像抽出範囲Ｒ２１と動画像抽出範囲Ｒ２０の関係を維持するように、表示する静止画像の大きさとＨＤ動画像の大きさを決めるようにしたことで、静止画像とＨＤ動画像とで急に被写体の大きさが変わったりすることなくスムーズに、静止画像の表示からＨＤ動画像の表示へ移行することができる。また、この場合、ＨＤ動画像を表示部６一杯に表示するので、迫力あるＨＤ動画像をユーザに提供することもできる。
さらに、第３の撮像モードで撮像され、関連付けられたアスペクト比１６：９の静止画像とアスペクト比１６：９のＨＤ動画像を再生する場合、デジタルスチルカメラ１のＣＰＵ１１は、まず、アスペクト比１６：９の表示部６一杯にアスペクト比１６：９の静止画像（図示せず）を表示した後、表示部６一杯にアスペクト比１６：９のＨＤ動画像（図示せず）を表示するようになされている。
因みに、外部のテレビモニタに静止画像及びＨＤ動画像を表示させる場合も、上述した表示部６に表示させる場合と同様である。
（１−６）再生処理手順
次に、上述したデジタルスチルカメラ１が静止画像及びＨＤ動画像を再生するときの処理手順（これを再生処理手順とも呼ぶ）について、図１１に示すフローチャートを用いて説明する。因みに、この再生処理手順は、デジタルスチルカメラ１のＣＰＵ１１がＲＯＭ１３から読み出したプログラムにしたがって実行する処理である。
デジタルスチルカメラ１のＣＰＵ１１は、ユーザにより再生モードへの切り替え操作が行われたことを認識すると、再生処理手順ＲＴ２を開始して、ステップＳＰ２０に移る。ステップＳＰ２０においてＣＰＵ１１は、操作部１５を介して指定の静止画像を再生する静止画像再生操作が行われたことを認識すると、この操作に応じて指定の静止画像に対応する静止画像データを選択して、ステップＳＰ２１に移る。因みに、静止画像の指定については、表示部６に静止画像のサムネイルの一覧を表示して、このなかから指定する方法や、表示部６に静止画像を順に表示して、このなかから指定する方法などを用いる。
ステップＳＰ２１においてＣＰＵ１１は、選択した静止画像データを記録メディア２７から読み出して、ステップＳＰ２２に移る。ステップＳＰ２２においてＣＰＵ１１は、読み出した静止画像データを再生することで、この静止画像データに基づく静止画像を表示部６に表示させる。
このようにして表示部６に静止画像を表示させると、ＣＰＵ１１は、ステップＳＰ２３に移り、表示中の静止画像に関連付けられたＨＤ動画像に対応するＨＤ動画像データの読み出しを開始して、ステップＳＰ２４に移る。因みに、このときＣＰＵ１１は、ＨＤ動画像データを、その先頭部分から例えばバッファメモリ２１に記憶し得る分だけ読み出して、これをバッファメモリ２１に一時記憶させる。
このようにデジタルスチルカメラ１は、静止画像の表示中に、ＨＤ動画像データの読み出しを開始しておくことで、静止画像の表示からＨＤ動画像の表示にスムーズに移行できるようになされている。
ステップＳＰ２４においてＣＰＵ１１は、静止画像を表示した後一定時間経過したことを認識すると、またはユーザにより動画像再生操作が行われたことを認識すると、表示部６に表示している静止画像を消去すると共に、バッファメモリ２１からＨＤ動画像データを読み出して再生を開始することで、このＨＤ動画像データに基づくＨＤ動画像を表示部６に表示させる。
そしてＣＰＵ１１は、このＨＤ動画像データの再生が終了すると、この再生処理手順ＲＴ２を終了する。
このような再生処理手順ＲＴ２にしたがって、デジタルスチルカメラ１のＣＰＵ１１は、静止画像及びＨＤ動画像を再生するようになされている。
（１−７）動作及び利点
以上の構成において、デジタルスチルカメラ１は、アスペクト比が４：３の撮像範囲を有する撮像素子１７により撮像された画像データをもとにアスペクト比４：３の静止画像データとアスペクト比１６：９のＨＤ動画像データとを生成して記録メディア２７に記録することで、アスペクト比の異なる静止画像及びＨＤ動画像を撮像する。
このようにして静止画像及びＨＤ動画像を撮像するとき、デジタルスチルカメラ１は、撮像素子１７により撮像されている被写体が人物であるかどうかを判別する。
そしてデジタルスチルカメラ１は、被写体が人物でないと判別した場合、撮像モードとして風景の撮像に適した第１の撮像モードを選択する。このとき、デジタルスチルカメラ１は、静止画像抽出範囲を、撮像素子１７の撮像範囲と同じ範囲に設定し、動画像抽出範囲を、静止画像抽出範囲と横方向の長辺を平行にしてみた場合に横方向の長さが同じで、この静止画像抽出範囲の上端及び下端をアスペクト比が１６：９となるようトリミングした範囲に設定する。
このように被写体が人物でない場合、撮像範囲の上端及び下端に被写体の重要な部分が位置することがほとんどないと推定できるので、撮像範囲（静止画像抽出範囲）の上端及び下端をトリミングした動画像抽出範囲でＨＤ動画像を抽出しても、被写体の重要な部分が切れることなくアスペクト比１６：９のＨＤ動画像を撮像することができる。
またこの場合、撮像範囲の全てを静止画像抽出範囲として利用するので、撮像範囲の一部を利用する場合と比して一段と高精細なアスペクト比４：３の静止画像を撮像することができる。
一方で、被写体が人物であると判断した場合、デジタルスチルカメラ１は、撮像モードとして人物の撮像に適した第２の撮像モードを選択する。このとき、デジタルスチルカメラ１は、シャッタボタン５が押下されると、まず撮像範囲の上端及び下端に被写体の重要な部分が入らないようズームアウトすることで広角にする。そのうえでデジタルスチルカメラ１は、静止画像抽出範囲を、撮像素子１７の撮像範囲の上端及び下端、左端及び右端をアスペクト比が４：３となるようトリミングした範囲に設定し、動画像抽出範囲を、静止画像抽出範囲の左端及び右端をアスペクト比が１６：９となるよう広げた範囲に設定する。
このようにデジタルスチルカメラ１は、被写体が人物である場合、撮像範囲Ｒ１１の上端及び下端のトリミングされる部分に被写体の重要な部分が入らないようズームアウトすることで広角にしたうえで、撮像範囲の上端及び下端、左端及び右端をトリミングした静止画像抽出範囲で静止画像を抽出し、この静止画像抽出範囲の左端及び右端を広げた動画像抽出範囲でＨＤ動画像を抽出する。これにより、撮像範囲に被写体（人物）を一杯に捉えて（つり表示部６に表示されるモニタ画像に被写体を一杯に捉えて）撮像しても、被写体（人物）の重要な部分が切れることなくアスペクト比１６：９のＨＤ動画像を撮像することができる。
以上の構成によれば、デジタルスチルカメラ１は、選択した撮像モードに応じて、撮像素子１７の撮像範囲内において、静止画像を抽出するアスペクト比が４：３の静止画像抽出範囲と、ＨＤ動画像を抽出するアスペクト比が１６：９の動画像抽出範囲とを設定し、撮像した画像から、設定した静止画像抽出範囲の画像を静止画像として抽出し、さらに、設定した動画像抽出範囲の画像をＨＤ動画像として抽出するようにしたことにより、アスペクト比が異なる静止画像の抽出範囲とＨＤ動画像の抽出範囲を、撮像モードに応じて変えることができ、かくして、撮像範囲の画像（すなわち原画像）からアスペクト比が異なる静止画像及びＨＤ動画像を撮像モードに適した抽出範囲で抽出することができる。
（２）第２の実施の形態
次に、第２の実施の形態について説明する。この第２の実施の形態では、デジタルスチルカメラ１が、第１の撮像モード及び第２の撮像モードのみを有し、さらに第１の撮像モードと第２の撮像モードとを自動で選択するばかりでなく、ユーザが任意に選択できるようになされている。また、この第２の実施の形態では、デジタルスチルカメラ１が、撮像モードが手動で選択された場合に、選択された撮像モードに応じたモニタ画像を表示部６表示させるようにもなされている。
以下、第１の撮像モード及び第２の撮像モードを自動及び手動で選択できるようにした場合の撮像処理手順について、図１２に示すフローチャートを用いて説明する。尚、デジタルスチルカメラ１の構成については、第１の実施の形態と同様とする。
デジタルスチルカメラ１のＣＰＵ１１は、撮像モードへの切り替え操作が行われたことを認識すると、撮像処理手順ＲＴ３を開始して、ステップＳＰ１００に移る。ステップＳＰ１００においてＣＰＵ１１は、ユーザにより手動で第１の撮像モードが選択されているかどうかを判定する。
このステップＳＰ１００で肯定結果を得ると、このことはユーザにより手動で第１の撮像モードが選択されていることを意味し、このときＣＰＵ１１は、ステップＳＰ１０１に移る。ステップＳＰ１０１においてＣＰＵ１１は、第１の撮像モードに応じたモニタ画像を表示部６に表示させる。
このときＣＰＵ１１は、例えば、図１３（Ａ）に示すように、アスペクト比４：３の表示部６一杯にアスペクト比４：３の第１の撮像モードの静止画像抽出範囲Ｒ１０（つまり撮像素子１７の撮像範囲Ｒ１１）の画像をモニタ画像Ｍｐとして表示させる。またＣＰＵ１１は、このモニタ画像Ｍｐに重ねて、静止画像抽出範囲Ｒ１０の上端及び下端をトリミングしたアスペクト比１６：９の動画像抽出範囲Ｒ１２の枠を示す補助線Ｌ１を表示させる。
こうすることで、ＣＰＵ１１は、第１の撮像モードにおいて、表示部６に表示したモニタ画像Ｍｐのどの部分が静止画像として抽出される範囲で、どの部分がＨＤ動画像として抽出される範囲であるかをユーザに視認させることができる。
このようにして表示部６にモニタ画像Ｍｐを表示させた後、ＣＰＵ１１は、ステップＳＰ１０２に移る。ステップＳＰ１０２においてＣＰＵ１１は、シャッタボタン５が押下されるのを待ち受け、押下されたことを認識すると、ステップＳＰ１０３に移る。
ステップＳＰ１０３においてＣＰＵ１１は、第１の実施の形態の撮像処理手順ＲＴ１のステップＳＰ４〜ＳＰ７（図９）の処理と同様の処理を行うことにより、第１の撮像モードで静止画像とＨＤ動画像を抽出して記録し、この撮像処理手順ＲＴ２を終了する。
これに対して、上述のステップＳＰ１００で否定結果を得ると、このときＣＰＵ１１は、ステップＳＰ１０４に移る。ステップＳＰ１０４においてＣＰＵ１１は、ユーザにより手動で第２の撮像モードが選択されているかどうかを判定する。
このステップＳＰ１０４で肯定結果を得ると、このことはユーザにより手動で第２の撮像モードが選択されていることを意味し、このときＣＰＵ１１は、ステップＳＰ１０５に移る。ステップＳＰ１０５においてＣＰＵ１１は、第２の撮像モードの静止画像抽出範囲Ｒ２１の画角が第１の撮像モードの静止画像抽出範囲Ｒ１０の画角と一致するようカメラブロック１６でズームアウトさせ、次のステップＳＰ１０６に移る。
ステップＳＰ１０６においてＣＰＵ１１は、第２の撮像モードに応じたモニタ画像を表示部６に表示させる。
このときＣＰＵ１１は、例えば、図１３（Ｂ）に示すように、アスペクト比４：３の表示部６にアスペクト比１６：９の第２の撮像モードの動画像抽出範囲Ｒ２０（つまり撮像素子１７の撮像範囲Ｒ１１の上端及び下端をトリミングした範囲）の画像をモニタ画像Ｍｐとして表示させる。またＣＰＵ１１は、このモニタ画像Ｍｐに重ねて、動画像抽出範囲Ｒ２０の左端及び右端をトリミングしたアスペクト比４：３の静止画像抽出範囲Ｒ２１の枠を示す補助線Ｌ２を表示させる。
こうすることで、ＣＰＵ１１は、第２の撮像モードにおいて、表示部６に表示したモニタ画像Ｍｐのどの部分が静止画像として抽出される範囲で、どの部分がＨＤ動画像として抽出される範囲であるかをユーザに視認させることができる。
このようにして表示部６にモニタ画像Ｍｐを表示させた後、ＣＰＵ１１は、ステップＳＰ１０７に移る。ステップＳＰ１０７においてＣＰＵ１１は、シャッタボタン５が押下されるのを待ち受け、押下されたことを認識すると、ステップＳＰ１０８に移る。
ステップＳＰ１０８においてＣＰＵ１１は、第１の実施の形態の撮像処理手順ＲＴ１のステップＳＰ８〜ＳＰ１１（図９）の処理と同様の処理（ただしズームアウトは既に行っているので省略する）を行うことにより、第２の撮像モードで静止画像とＨＤ動画像を抽出して記録し、この撮像処理手順ＲＴ２を終了する。
これに対して、上述のステップＳＰ１０４で否定結果を得ると、このことは、撮像モードを自動で選択するようになっていることを意味し、このときＣＰＵ１１は、ステップＳＰ１０９に移る。ステップＳＰ１０９においてＣＰＵ１１は、撮像モードを自動選択として、次のステップＳＰ１１０に移る。
ステップＳＰ１１０においてＣＰＵ１１は、第１の撮像モードに応じたモニタ画像Ｍｐ（図１３（Ａ））を表示部６に表示させ、次のステップＳＰ１１１に移る。
ステップＳＰ１１１においてＣＰＵ１１は、シャッタボタン５が押下されるのを待ち受け、押下されたことを認識すると、ステップＳＰ１１２に移る。
ステップＳＰ１１２においてＣＰＵ１１は、顔認識処理を実行して、その結果に基づき、このとき撮像素子１７により撮像されている人物の顔が画像の中心に位置しているかどうか、つまり第２の撮像モードを自動選択するかどうかを判定する。このステップＳＰ１１２で否定結果を得ると、このことは、人物以外の被写体（例えば風景）が撮像対象であることから第１の撮像モードが自動選択されることを意味し、このときＣＰＵ１１は、第１の撮像モードを選択して、ステップＳＰ１０３に移る。
ステップＳＰ１０３において、ＣＰＵ１１は、第１の撮像モードで静止画像とＨＤ動画像を抽出して記録し、この撮像処理手順ＲＴ２を終了する。
これに対して、ステップＳＰ１１２で肯定結果を得ると、このことは、人物が撮像対象であることから第２の撮像モードが自動選択されることを意味し、このときＣＰＵ１１は、第２の撮像モードを選択して、ステップＳＰ１１３に移る。
ステップＳＰ１１３においてＣＰＵ１１は、第２の撮像モードの静止画像抽出範囲Ｒ２１の画角が第１の撮像モードの静止画像抽出範囲Ｒ１０の画角と一致するようカメラブロック１６でズームアウトさせ、次のステップＳＰ１０８に移る。
ステップＳＰ１０８においてＣＰＵ１１は、第２の撮像モードで静止画像とＨＤ動画像を抽出して記録し、この撮像処理手順ＲＴ２を終了する。
このような撮像処理手順ＲＴ２にしたがって、デジタルスチルカメラ１のＣＰＵ１１は、静止画像及びＨＤ動画像を連続撮像するようになされている。
（３）他の実施の形態
なお、上述した第１の実施の形態では、撮像素子１７のアスペクト比が４：３、静止画像のアスペクト比が４：３または１６：９、ＨＤ動画像のアスペクト比が１６：９に決められている場合について述べたが、本発明はこれに限らず、撮像素子１７、静止画像及びＨＤ動画像に対して、この他種々のアスペクト比が決められていてもよい。
例えば、静止画像のアスペクト比は、撮像素子１７のアスペクト比と同じか、撮像素子１７のアスペクト比よりも横長であればよく、またＨＤ動画像のアスペクト比も、撮像素子１７のアスペクト比と同じか、撮像素子１７のアスペクト比よりも横長であればよい。
さらに、上述した第１の実施の形態では、第１の撮像モード、第２の撮像モード、第３の撮像モードが自動で選択されるようにした場合について述べたが、本発明はこれに限らず、これらの撮像モードを、被写体が人物であるかどうかに依らず、ユーザが任意に選択できるようにしてもよい。また、撮像モードを選択できるだけでなく、アスペクト比や撮像範囲の組み合わせを自由にユーザが設定できるようにしてもよい。
例えば、図９に示す撮像処理手順ＲＴ１のステップＳＰ２及びステップＳＰ３の代わりに、ユーザにより選択された撮像モードを判別するステップを設ける。そして、このステップでユーザにより選択された撮像モードが第１の撮像モードであると判別した場合には、第１の撮像モードに応じた処理（ステップＳＰ４〜ＳＰ７）を実行し、第２の撮像モードであると判別された場合には、第２の撮像モードに応じた処理（ステップＳＰ８〜ＳＰ１１）を実行し、第３の撮像モードであると判別された場合には、第３の撮像モードに応じた処理（ステップＳＰ１２〜ＳＰ１３）を実行するようにしてもよい。
また、上述した第１及び第２の実施の形態では、静止画像とＨＤ動画像を１度に撮像する場合に、静止画像を撮像してからＨＤ動画像を撮像するようにした場合について述べたが、本発明はこれに限らず、ＨＤ動画像を撮像してから静止画像を撮像するようにしてもよい。
さらに、上述した第１及び第２の実施の形態では、被写体が人物であるかどうかを判別する手法として、顔認識を用いた場合について述べたが、本発明はこれに限らず、例えば、ユーザに選択された撮像モードに基づいて被写体が人物であるかどうかを判別するようにしてもよい。
具体的に言うと、例えば、デジタルスチルカメラ１に、人物撮像に適した人物撮像モードと、風景撮像に適した風景撮像モードとを用意して、ユーザにより人物撮像モードが選択されている場合に、被写体が人物であると判別するようにしてもよい。この場合、例えば、上述した第１の撮像モードを風景撮像モード、第２の撮像モードを人物撮像モードとして、ユーザに選択させるようにしてもよい。
このようにすれば、顔認識機能を有してなくとも、選択された撮像モードに基づいて、被写体が人物であるかどうかを判別することができる。
さらに、被写体までの距離に基づいて被写体が人物であるかどうかを判別するようにしてもよい。例えば、デジタルスチルカメラ１のカメラブロック１６がフォーカス調整機能を有しているとして、フォーカス調整時にこのカメラブロック１６から得られる被写体までの距離が所定値（例えば５ｍ）以下の場合に、被写体が人物であると判別するようにしてもよい。
また、この場合、必ずしも被写体が人物であるとは限らないが、要は人物のように、重要な部分が撮像範囲の中央だけでなく上端及び下端にも位置する被写体を判別できればよく、このような被写体を判別して、上述した第１の撮像モードもしくは第２の撮像モードを選択することで、被写体の重要な部分が切れることなく静止画像及びＨＤ動画像を撮像することができる。
さらに、ここまで説明した顔認識、選択された撮像モード、被写体までの距離の全てを把握して、これらのうちの少なくとも１つから、被写体が人物であると判別できたときに、被写体が人物であると決定するようにしてもよい。
さらに、上述した第１の実施の形態では、撮像処理手順ＲＴ１において、シャッタボタン５が押下されてから、被写体が人物であるかどうかを判別して、静止画像抽出範囲及び動画像抽出範囲を設定するようにした場合について述べたが、本発明はこれに限らず、例えば、シャッタボタン５が押下される前に、被写体が人物であるかどうかを所定時間（例えば数ｍｓｅｃ）毎に判別して、静止画像抽出範囲と動画像抽出範囲を所定時間毎に設定し直すようにしてもよい。この場合、シャッタボタン５が押下された時点での静止画像抽出範囲と動画像抽出範囲で静止画像及びＨＤ動画像を抽出すればよい。
またこの場合、所定時間毎に設定し直される静止画像抽出範囲の画像をモニタ画像として表示部６に表示するようにしてもよい。このようにすれば、ユーザに対して、そのときの静止画像抽出範囲を確認させたうえで、シャッタボタン５を押下させることができる。
さらに、上述した第１及び第２の実施の形態では、焦点距離を短くすることで（つまり光学的なズームアウトにより）、第２の撮像モードの静止画像抽出範囲Ｒ２１の画角を、第１の撮像モードの静止画像抽出範囲Ｒ１０の画角と一致させるようにした場合について述べたが、本発明はこれに限らず、第２の撮像モードの静止画像抽出範囲Ｒ２１の画像を電子的に縮小することで光学的なズームアウトと同様の効果を得るようにしてもよい。
また、カメラブロック１６のズーム機構上、第２の撮像モードの静止画像抽出範囲Ｒ２１の画角が、第１の撮像モードの静止画像抽出範囲Ｒ１０の画角と一致するまでズームアウトすることができない場合、デジタルスチルカメラ１は、画角を合わせることができない旨を示す文字情報を表示部６に表示することで、その旨をユーザに通知するようにしてもよい。
さらに、上述した第１及び第２の実施の形態では、静止画像データ及びＨＤ動画像データを記録するデバイスとしてメモリスロット８に挿入する記録メディア２７を用いるようにしたが、本発明はこれに限らず、記録メディア２７として、デジタルスチルカメラ１に固定のハードディスクやフラッシュメモリを用いるようにしてもよい。
さらに、上述した第１及び第２の実施の形態では、撮像する動画像をＨＤ動画像とした場合について述べたが、本発明はこれに限らず、ＨＤ動画像よりも解像度を落としたＳＤ（Ｓｔａｎｄａｒｄ  Ｄｅｆｉｎｉｔｉｏｎ）動画像を撮像するようにしてもよいし、これら以外の動画像を撮像するようにしてもよい。
さらに、上述した第１及び第２の実施の形態では、デジタルスチルカメラ１にシャッタボタン５及び操作ボタン７からなる操作部１５を設けるようにした場合について述べたが、本発明はこれに限らず、例えば、タッチパネル付きの表示部６を設けるようにして、操作部１５での操作をこのタッチパネルで操作できるようにしてもよい。すなわち、シャッタボタン５及び操作ボタン７に限らず、この他種々の操作デバイスからなる操作部１５を設けるようにしてもよい。また、デジタルスチルカメラ１に遠隔装置（例えばリモートコントローラ）からの信号を受信する受信部を設けるようにして、デジタルスチルカメラ１に対する操作を遠隔装置から制御できるようにしてもよい。
さらに、上述した第１及び第２の実施の形態では、デジタルスチルカメラ１に本発明を適用した場合について述べたが、本発明はこれに限らず、上述したデジタルスチルカメラ１と同機能を有するものであれば、デジタルビデオカメラや、カメラ機能付きの携帯電話機などに本発明を適用するようにしてもよい。
さらに、上述した第１及び第２の実施の形態では、デジタルスチルカメラ１のＣＰＵ１１が、ＲＯＭ１３にあらかじめ記録されているプログラムに従って、上述した撮像処理を実行する場合について述べたが、本発明はこれに限らず、これらの処理を実行するためのプログラムを、光ディスクやメモリカードなどの記録媒体に記録しておき、例えば、デジタルスチルカメラ１と外部接続されたパーソナルコンピュータがこの記録媒体に記録されたプログラムを読み出してデジタルスチルカメラ１に転送することにより、このデジタルスチルカメラ１の例えば記録メディア２７にインストールするようにしてもよい。
さらに、上述した第１及び第２の実施の形態では、撮像部としてのカメラブロック１６、画像処理部としての画像拡大・縮小・トリミングブロック２２及びＨＤ動画像コーデック・記録・再生ブロック、撮像モード選択部、画角制御部、抽出範囲設定部及び被写体判別部としてのＣＰＵ１１、表示処理部としての表示コントローラ２４によって撮像装置としてのデジタルスチルカメラ１を構成するようにした場合について述べたが、本発明はこれに限らず、同様の機能を有するものであれば、これら以外の撮像部、画像処理部、抽出範囲設定部、被写体判別部及び表示処理部によって、撮像装置を構成するようにしてもよい。
例えば、被写体判別機能を有するデバイスを別途設けた構成であってもよいし、表示処理をＣＰＵ１１が行うような構成であってもよい。
【産業上の利用可能性】
【０００８】
本発明は、例えばデジタルスチルカメラや、デジタルビデオカメラなど、静止画像と動画像を撮像可能な撮像装置に利用することができる。
【図１】
2009028703.tif 000003
【図２】
2009028703.tif 000004
【図３】
2009028703.tif 000005
【図４】
2009028703.tif 000006
【図５】
2009028703.tif 000007
【図６】
2009028703.tif 000008
【図７】
2009028703.tif 000009
【図８】
2009028703.tif 000010
【図９】
2009028703.tif 000011
【図１０】
2009028703.tif 000012
【図１１】
2009028703.tif 000013
【図１２】
2009028703.tif 000014
【図１３】
2009028703.tif 000015
【国際調査報告】
2009028703.tif 000016
2009028703.tif 000017
2009028703.tif 000018
2009028703.tif 000019
2009028703.tif 000020
2009028703.tif 000021